(57)【要約】【課題】グローブ指部にも指部材を挿入するグローブ支持具のグローブへの挿入を簡単かつ手早く行えるようにする。【解決手段】グローブ支持具３０を先端部材３１と支持部材３２とに分離する。グローブ１４のカフス部１８をグローブポート１２から取り出し、先端部材３１の基部３４に設けられた取っ手３４Ｂを保持して先端部材３１を手袋部１６に挿入する。手袋部１６の親指から薬指に指部材３３Ａ〜３３Ｄを挿入し、先端部材３１の基部３４をカフス部１８に取り付ける。基部３４に支持部材３２の結合部３６を連結し、グローブ支持具３０全体をアイソレータ１１内に押し込む。支持部材３２のフレームロッド３５Ａの基端部である取付部３５Ｃをグローブポート１２の周囲に設けられた取付溝２１に装着しグローブ支持具３０を固定する。【選択図】図７
2015116622.tif 000002
【特許請求の範囲】
【請求項１】
内部を除染して無菌状態に維持されるアイソレータの壁面に設けられて、作業者が外部から手を挿入してアイソレータ内部で作業を行うためのグローブを、アイソレータの内部に伸張させて支持するグローブ支持具であって、
前記グローブが、手袋部とスリーブ部に分割され、前記手袋部と前記スリーブ部を繋ぐ筒状体を備えて構成され、
前記グローブ支持具は、先端側が前記手袋部に形成された指部に挿入可能かつ末端側が前記筒状体に取り付け可能な先端部材と、先端側が前記先端部材と連結可能かつ末端側が前記アイソレータの壁面に装着可能な支持部材とを備える
ことを特徴とするグローブ支持具。
【請求項２】
前記グローブ支持具は、前記グローブの親指を上にして、各指が上下に並ぶように支持することを特徴とする請求項１に記載のグローブ支持具。
【請求項３】
前記先端部材は、前記グローブの小指を除く各指に挿入可能であることを特徴とする請求項２に記載のグローブ支持具。
【請求項４】
前記先端部材と前記支持部材は、磁力結合により連結可能であることを特徴とする請求項１〜３の何れか一項に記載のグローブ支持具。
【請求項５】
前記支持部材の先端側が前記筒状体に取り付け可能であって、前記先端部材と支持部材は、筒状体を介して連結可能であることを特徴とする請求項１〜３の何れか一項に記載のグローブ支持具。
【発明の詳細な説明】
【技術分野】
【０００１】
本発明は、アイソレータに装備されたグローブを支持するグローブ支持具に関する。
【背景技術】
【０００２】
アイソレータ内の除染の際には、アイソレータに備え付けられたグローブ表面の除染も行なわれる。このとき、グローブが垂れ下がった状態にあると、影になった部分に過酸化水素蒸気等の除染媒体が触れないため、全体を十分に除染することができない。そのため除染時には、外部からグローブ内にグローブ支持具（ハンガー）を差し入れ、グローブが垂れ下がるのを防止する。しかし、従来のグローブ支持具では指の部分が垂れ下がり他の部分に重なることがあり、十分に除染できない場合があった。
【０００３】
このような問題に対しては、各指を支持する指部材をグローブ支持具に設け、指を含めたグローブ全体をハンガーで支持することで指の垂れ下がりを防止する方法が提案されている（特許文献１参照）。同グローブ支持具を用いれば、指が垂れ下がることなく、全ての指を開いた状態でグローブを支持できるので、グローブ表面全体を除染することができる。
【先行技術文献】
【特許文献】
【０００４】
【特許文献１】特許第４６１９２２８号公報
【発明の概要】
【発明が解決しようとする課題】
【０００５】
しかし、グローブは通常天然ゴム（ラテックス）等の柔軟な素材で作られており、グローブ支持具はグローブの全長よりも長いため、長いグローブ支持具の先端にある指部材を１本ずつグローブ先端の各指に挿入する作業は難しく、時間の掛かる煩雑な作業であった。
【０００６】
本発明は、グローブ指部にグローブ支持具の指部材を挿入する作業を簡単かつ手早く行えるようにすることを課題としている。
【課題を解決するための手段】
【０００７】
本発明のグローブ支持具は、内部を除染して無菌状態に維持されるアイソレータの壁面に設けられて、作業者が外部から手を挿入してアイソレータ内部で作業を行うためのグローブを、アイソレータの内部に伸張させて支持するグローブ支持具であって、グローブが、手袋部とスリーブ部に分割され、手袋部とスリーブ部を繋ぐ筒状体を備えて構成され、グローブ支持具は、先端側が手袋部に形成された指部に挿入可能かつ末端側が筒状体に取り付け可能な先端部材と、先端側が先端部材と連結可能かつ末端側がアイソレータの壁面に装着可能な支持部材とを備えることを特徴とするものである。
【０００８】
また、第２の発明は、第１の発明において、グローブ支持具が、グローブの親指を上にして、各指が上下に並ぶように支持することを特徴とするものである。
【０００９】
また、第３の発明は、第２の発明において、先端部材がグローブの小指を除く各指に挿入可能であることを特徴とするものである。
【００１０】
また、第４の発明は、第１〜第３の発明において、先端部材と支持部材は、磁力結合により連結可能であることを特徴とするものである。
【００１１】
また、第５の発明は、第１〜第３の発明において、支持部材の先端側が筒状体に取り付け可能であって、先端部材と支持部材は、筒状体を介して連結可能であることを特徴とするものである。
【発明の効果】
【００１２】
本発明によれば、グローブ指部にグローブ支持具を挿入する作業を簡単かつ手早く行うことができる。
【図面の簡単な説明】
【００１３】
【図１】本発明の一実施形態であるグローブ支持具が利用される無菌作業システムの外観を示す正面斜視図である。
【図２】図１のアイソレータの側断面図である。
【図３】本実施形態のグローブの構成を示す側断面図である。
【図４】本実施形態のグローブ支持具の構成を示す側面図（一部断面）である。
【図５】本実施形態のグローブ支持具の先端部材をグローブの手袋部へ装着する手順を示す図である。
【図６】本実施形態のグローブ支持具の支持部材を先端部材に連結する手順を示す図である。
【図７】本実施形態のグローブ支持具の支持部材がアイソレータの壁面に固定された状態を示す図である。
【図８】本実施形態の変形例のグローブの構成を示す側断面図である。
【図９】本実施形態の変形例のグローブ支持具の構成を示す側断面図である。
【発明を実施するための形態】
【００１４】
以下、本発明の実施の形態を、図面を参照して説明する。図１は、本発明の一実施形態であるグローブ支持具が利用される無菌作業システムの外観を示す正面斜視図である。なお、図１には作業中の様子が描かれる。また図２には、図１のアイソレータの側断面図が示される。
【００１５】
無菌作業システム１０は、内部を無菌状態に維持可能なアイソレータ１１を中心に構成され、アイソレータ１１の正面には、通常複数のグローブポート１２を備える透明パネル（壁面の一部）１３が、アイソレータ１１内に向けて前傾させて設けられる。各グローブポート１２には、アイソレータ１１内に向けてグローブ１４がそれぞれ取り付けられ、作業者Ｐは、グローブポート１２から手を入れ、グローブ１４を装着してアイソレータ１１内での作業を行う。アイソレータ１１には、物品を出し入れするためのパスボックス１５が並設され、アイソレータ１１内の作業に必要な物品は、パスボックス１５を介してアイソレータ１１内へと搬入される。なお図１には、パスボックス１５の外側の扉１５Ａが示され、図２には、アイソレータ１１内に開放されるパスボックス１５の内側の扉１５Ｂが示される。
【００１６】
次に図３を参照して、本実施形態のアイソレータ１１で用いられるグローブ１４の構成について説明する。グローブ１４は、天然ゴム（ラテックス）等の柔軟な素材からなり、作業者の肘より先の部分が挿入される手袋部１６と、この手袋部１６と同様の柔軟な素材からなり、手袋部１６に挿入されない腕の部分を覆うスリーブ部１７とに分割され、手袋部１６とスリーブ部１７を繋ぐ、樹脂成形された剛性体からなるカフス部（筒状体）１８を備えて構成される。スリーブ部１７の末端側は、例えば、アイソレータ１１の内側において、円筒形のグローブポート１２の外周にＯリング１２Ａを用いて気密的に固定される。また、スリーブ部１７の先端側は、カフス部１８の末端側の外周にＯリング１９を用いて気密的に固定される。そしてカフス部１８の先端側の外周には、手袋部１６の末端側の縁がＯリング２０を用いて気密的に固定される。これにより、アイソレータ１１内においてグローブ１４の内側と外側が密封された状態となる。なお、説明上、図に示すアイソレータ１１内に伸長させた状態におけるグローブ１４の指先側を先端側、グローブポート１２側を末端側としている。
【００１７】
カフス部１８の内側には、後述するグローブ支持具の先端部材を取り付ける際に用いられる溝１８Ａが、円筒状のカフス部１８の円周方向と直交する円筒の軸方向に沿って、スリーブ部１７が取り付けられた末端側から手袋部１６を取り付けた先端側に向かう中間点付近まで形成され、行き止まりとなった溝１８Ａの先端には、後述するカフス部１８の内側に嵌入される先端部材３１の基部３４の位置を固定するための固定凹部１８Ｂが円周方向に向けて形成される。また、グローブポート１２は、透明パネル１３に設けられた開口に気密的に取り付けられており、グローブポート１２の内側開口径はカフス部１８の外形寸法に対して十分に大きく形成され、アイソレータ１１の外側において、例えばグローブポート１２の外周には、後述するグローブ支持具を装着するための取付溝２１が設けられる。
【００１８】
図４は、グローブ１４をアイソレータ１１の内部に伸長させて支持する本実施形態のグローブ支持具３０の構成を示す側面図（一部断面）である。グローブ支持具３０は、図３の手袋部１６に挿入される先端部材３１と、その先端側が先端部材３１に着脱自在に連結され、末端側がアイソレータ１１のグローブポート１２の取付溝２１に着脱自在に装着される支持部材３２とからなる。
【００１９】
先端部材３１は、グローブ１４の手首よりも先の部分に対応する先端側の手部３３と、手部３３を支える支持ロッド３３Ｅと、支持ロッド３３Ｅを保持する例えば略円柱または円盤状の末端側の基部３４とを備える。本実施形態において、手部３３は、親指、人差し指、中指、薬指に対応する４本の指部材３３Ａ〜３３Ｄを備える。基部３４において手部３３とは反対側の面は、例えば金属などの強磁性体からなり、支持部材３２と磁力結合する結合面３４Ａを形成する。また結合面３４Ａには、取っ手３４Ｂが設けられ、基部３４の側面（外周面）には、図３に示される溝１８Ａおよび固定凹部１８Ｂに係合される凸部３４Ｃが設けられる。
【００２０】
一方、支持部材３２は、フレーム３５と、結合部３６とを備える。フレーム３５は、例えば３本以上の複数のフレームロッド３５Ａと、これらを互いに所定の間隔で保持するリング部材３５Ｂを備える。フレームロッド３５Ａのそれぞれ先端は、略円柱または円盤形状を呈する結合部３６の周縁に沿って略均等に配置され、支持部材３２の末端側を向いた結合部３６の背面に固定される。それぞれのフレームロッド３５Ａは、結合部３６から軸方向に沿って延出し、支持部材３２の末端側においてグローブポート１２の径方向外側に向けて各々折り曲げられ、そして折り曲げられた先端は、更に径方向内側に向けてそれぞれ湾曲して折り返される。各折り返されたフレームロッド３５Ａの先端は、互いにグローブポート１２の中心に向けられて略同一の仮想円上に位置しており、この仮想円の直径はグローブポート１２の外周縁の直径より短く、各フレームロッド３５Ａの先端を取付溝２１に差し込むことでフレームロッド３５Ａを装着するようになっている。
【００２１】
また、支持部材３２の先端側を向いた結合部３６の前面には、先端部材３１の取っ手３４Ｂを収納するための取っ手収納溝３６Ａが形成され、取っ手収納溝３６Ａの底部には、プッシャ３６Ｂが設けられる。プッシャ３６Ｂは、取っ手収納溝３６Ａの底部から結合部３６の背面へと軸通し、背面から突出した部分には、プッシャ３６Ｂの操作部が設けられる。すなわち、プッシャ３６Ｂは、結合部３６の中心軸に沿って進退自在であり、作業者が操作部を押し込むと、プッシャ３６Ｂの先端が、取っ手収納溝３６Ａへと押し出される。また、結合部３６の前面において取っ手収納溝３６Ａの開口周辺には、先端部材３１と磁力結合するマグネット３６Ｃが設けられる。
【００２２】
次に図５〜図７を参照して、本実施形態のグローブ支持具３０のグローブ１４への挿入手順を説明する。
【００２３】
本実施形態のグローブ支持具挿入作業では、まず図５に示されるように、カフス部１８をグローブポート１２からアイソレータ１１の外側に引き出して保持し、グローブ支持具３０の先端部材３１をグローブ１４の手袋部１６に装着する。このとき作業者は先端部材３１の取っ手３４Ｂを把持し、先端部材３１の手部３３を手袋部１６に挿入するとともに、手部３３に設けられた親指から薬指に対応する指部材３３Ａ〜３３Ｄを、それぞれ手袋部１６の対応する指に挿入する。
【００２４】
そして作業者は、基部３４に設けられた凸部３４Ｃをカフス部１８に設けられた溝１８Ａに係合させ、凸部３４Ｃを溝１８Ａに沿って移動させて基部３４をカフス部１８内へと押し込む。凸部３４Ｃが溝１８Ａの端に突き当たると、取っ手３４Ｂを回して基部３４を周方向に回転させ、凸部３４Ｃを固定凹部１８Ｂに嵌め込み、この位置（固定位置）に固定する。なお、先端部材３１は、この固定位置において指が略上下に縦並びとなり、手袋部１６は、手を開いた状態でカフス部１８から伸び切った状態となる。
【００２５】
次に、作業者は、図６に示すように、先端部材３１の取っ手３４Ｂを支持部材３２の結合部３６の前面に形成した取っ手収容溝３６Ａに嵌め入れ、基部３４の結合面３４Ａを結合部３６の取っ手収容溝３６Ａが形成された前面に当接させる。前述のように、結合面３４Ａは強磁性体で構成され、取っ手収容溝３６Ａの周囲にはマグネット３６Ｃが配置されているので、先端部材３１の基部３４と支持部材３２の結合部３６は、磁力により結合する。なお、支持部材３２を先端部材３１から取り外す場合には、結合部３６に設けられたプッシャ３６Ｂを押し、取っ手３４Ｂを取っ手収容溝３６Ａから押し出す。また、強磁性体とマグネットの配置は逆でもよく、更に、両方をマグネットとしてもよい。
【００２６】
次に、作業者は、図７に示すように、支持部材３２を保持して、グローブポート１２からカフス部１８をアイソレータ１１内へと戻し、フレームロッド３５Ａを広げて、取付部３５Ｃをそれぞれ取付溝２１に装着する。これにより、支持部材３２はグローブポート１２へ固定され、スリーブ部１７は、グローブポート１２からほぼ伸び切った伸長状態となり、グローブ１４全体がグローブ支持具３０によりアイソレータ１１内に位置した状態で支持される。
【００２７】
以上のように、本実施形態では、グローブ支持具を手袋部に挿入される先端部材と、先端部材と連結可能な支持部材とに分離し、先端部材の末端側をカフス部（筒状体）に取り付け可能とするとともに、支持部材の先端側を先端部材に連結可能、かつ末端側をアイソレータの壁面に装着可能にしている。これにより、長さが短くなった先端部材の先端側の指部材をまず手袋部の各指部に挿入し、次に先端部材の末端側を筒状体に取り付け、その後、先端部材に支持部材を連結してアイソレータ壁面に支持部材を固定することができる。そのため指部に指部材を挿入する構成であっても作業の手間が大幅に軽減され、迅速にグローブ支持具をグローブに挿入できる。
【００２８】
また、本実施形態では先端部材と支持部材の結合がマグネットの磁力を利用して行われおり、その取り外しもプッシャを押すだけでできるので、支持部材の先端部材への着脱が極めて容易にできる。更に、本実施形態では指部材が親指から薬指の４本しかないので、指部材の各指への挿入がより簡単にできる。なお小指は自重により僅かに垂れ下がるものの、他の部分に接触したり、他の部分に影を作ったりすることはないので除染を阻害することはない。
【００２９】
次に図８を参照して本実施形態の第１変形例について説明する。第１変形例では、カフス部（筒状体）の構成が異なり、グローブ支持具などその他の構成は上記実施形態と同様である。実施形態と同様の構成については同一参照符号を用いその説明を省略する。
【００３０】
変形例では、カフス部３７が手袋部１６側の手袋カフス３７Ａと、スリーブ部１７側のスリーブカフス３７Ｂとに分割される。手袋カフス３７Ａにはその外周に手袋部１６の末端側の縁がＯリング２０により気密的に固定される。一方、スリーブカフス３７Ｂの末端側の外周にはスリーブ部１７の先端がＯリング１９により気密的に固定される。スリーブカフス３７Ｂの先端側の外径は、手袋カフス３７Ａの内径に略等しく、スリーブカフス３７Ｂの先端は手袋カフス３７Ａ内に嵌挿され、例えばＯリング３８などを介して、手袋カフス３７Ａに圧入される。また、スリーブカフス３７Ｂの末端側の内周面には、先端部材３１の基部３４の側面に設けられる凸部３４Ｃと係合する溝１８Ａおよび固定凹部１８Ｂが設けられ、上述した実施形態と同様に、凸部３４Ｃを溝１８Ａに沿って移動させ、回転させることで凸部３４Ｃが固定凹部１８Ｂに嵌め込まれ、先端部材３１がカフス部３７に固定される。
【００３１】
以上のようにカフス部が分割された第１変形例においても、本実施形態と同様の効果が得られる。なお、手袋カフス３７Ａをスリーブカフス３７Ｂに嵌挿させ、また、スリーブカフス３７Ｂに溝１８Ａおよび固定凹部１８Ｂを設けるようにしてもよい。
【００３２】
次に図９を参照して、本実施形態の第２変形例について説明する。実施形態のグローブ保持具では、グローブの先端側の先端部材と末端側の支持部材は、先端部材の基部と支持部材の結合部とを直接結合し連結可能としたが、第２変形例では、先端部材の基部と支持部材の結合部とをカフス部（筒状体）を介して連結可能とする。なお、同連結に係る構成以外は、上記実施形態と同様であり、同様の構成については同一参照符号を用いその説明を省略する。
【００３３】
第２変形例のグローブ保持具４０は、手部３３を先端側に備える先端部材４１と、先端部４１の末端側にカフス部（筒状体）４３を介して連結される支持部材４２とから構成される。先端部材４１の基部４４は、支持ロッド３３Ｅを介して手部３３と連結され、上記実施形態の基部３４と同様に、基部４４の末端側の面には取っ手４４Ａが設けられ、側面（外周面）には凸部４４Ｂが設けられる。ただし、本変形例の基部４４の末端側の面は、実施形態の基部３４とは異なり、強磁性体から構成される必要はない。一方、第２変形例の支持部材４２の先端側に設けられた結合部４５は、基部４４とほぼ同様の構成を備え、結合部４５の末端側を向いた背面に取っ手４５Ａが設けられ、側面（外周面）に凸部４５Ｂが設けられる。
【００３４】
また、グローブ１４の手袋部１６とスリーブ部１７を繋ぐ本変形例のカフス部（筒状部）４３の内側には、先端部材４１の基部４４、および支持部材４２の結合部４５とを取り付ける際に用いられる溝４３Ａが設けられる。溝４３Ａは円筒状のカフス部４３の円周方向と直交する円筒の軸方向に沿って、スリーブ部１７が取り付けられた末端側から手袋部１６を取り付けた先端側開口縁近くまで形成され、行き止まりとなった溝４３Ａの先端には、カフス部４３の内側に嵌入される基部４４の凸部４４Ｂと係合し、基部４４の位置を固定するための基部固定凹部４３Ｂが円周方向に向けて形成される。一方、溝４３Ａの末端側開口縁近くには、カフス部４３の内側に嵌入される結合部４５の凸部４５Ｂと係合し、結合部４５の位置を固定するための結合部固定凹部４３Ｃが円周方向に向けて形成される。
【００３５】
すなわち上記実施形態と同様に、作業者は、基部４４に設けられた凸部４４Ｂをカフス部４３に設けられた溝４３Ａに係合させ、凸部４４Ｂを溝４３Ａに沿って移動させて基部４４をカフス部４３内へと押し込む。凸部４４Ｂが溝４３Ａの端に突き当たると、取っ手４４Ａを回して基部４４を周方向に回転させ、凸部４４Ｂをカフス部４３の基部固定凹部４３Ｂに嵌め込み、この位置（固定位置）に固定する。その後、作業者は、結合部４５に設けられた凸部４５Ｂをカフス部４３に設けられた溝４３Ａに係合させ、凸部４５Ｂを溝４３Ａに沿って移動させる。そして凸部４５Ｂの位置を結合部固定凹部４３Ｃの位置に合わせ、取っ手４５Ａを回して結合部４５を周方向に回転させ、凸部４５Ｂを結合部固定凹部４３Ｃに嵌め込み、この位置に固定する。
【００３６】
以上のように先端部材と支持部材をカフス部を介して間接的に連結する第２変形例においても、本実施形態と同様の効果が得られる。なお、凸部４４Ｂに係合する溝と、凸部４５Ｂに係合する溝は、別々に設けることもできる。
【００３７】
なお、本実施形態では指部材を４本としたが、指部材は５本でもよい。また、本実施形態ではグローブ支持具は、各指が略上下に並ぶ位置でグローブを支持したが、指が垂れ下がって除染残しを生じない配置であれば、各指が上下に並ばなくてもよい。また、先端部材の基部とカフス部の取付方法、先端部材と支持部材の連結方法および取り外し方法、支持部材のアイソレータ壁面への装着方法は、本実施形態に限定されるものではない。
【符号の説明】
【００３８】
１０  無菌作業システム
１１  アイソレータ
１２  グローブポート
１３  透明パネル
１４  グローブ
１６  手袋部
１７  スリーブ部
１８  カフス部（筒状体）
１８Ａ  溝
１８Ｂ  固定凹部
２１  取付溝
３０  グローブ支持具
３１  先端部材
３２  支持部材
３３  手部
３３Ａ〜３３Ｄ  指部材
３３Ｅ  支持ロッド
３４  基部
３４Ａ  結合面
３４Ｂ  取っ手
３４Ｃ  凸部
３５  フレーム
３５Ａ  フレームロッド
３５Ｂ  リング部材
３５Ｃ  取付部
３６  結合部
３６Ａ  取っ手収納溝
３６Ｂ  プッシャ
３６Ｃ  マグネット
３７  カフス部（筒状体）
３７Ａ  手袋カフス
３７Ｂ  スリーブカフス
【図１】
2015116622.tif 000003
【図２】
2015116622.tif 000004
【図３】
2015116622.tif 000005
【図４】
2015116622.tif 000006
【図５】
2015116622.tif 000007
【図６】
2015116622.tif 000008
【図７】
2015116622.tif 000009
【図８】
2015116622.tif 000010
【図９】
2015116622.tif 000011